(57)【要約】【課題】より現実のオートバイの運転感覚に近い、臨場感にあふれた操作を行うことができるオートバイゲーム機の操作装置を提供する。【解決手段】 固定フレーム２は、ディスプレイ１の画面１ａと対向するようにして水平配置される。固定フレーム２上の左右方向における中央部分には、画面１ａと直交する方向に伸びるようにして、車体６が配置される。車体６のディスプレイ１と反対側の後方部分には座席部７が配置され、車体６の下部にはステップ８が設けられる。車体６は、支軸５を含む回動機構１０によって、移動フレーム３に対して左右方向に回動自在に構成される。移動フレーム３は、スライド機構２０によって固定フレーム２に対して左右方向にスライド自在に構成され、固定フレーム２に対する車体６の左右方向における移動範囲は、位置規制機構３０によって規制される。【選択図】図１
2006272007.tif 000002
【特許請求の範囲】
【請求項１】
ディスプレイの画面の前方にオートバイを模した操作装置が配置されるオートバイゲーム機の操作装置であって、前記ディスプレイの前記画面の前方に配置され、前記ディスプレイに対して相対的に固定されたハンドルと、前記ハンドルを挟んで前記ディスプレイと反対側に配置され、前記ハンドルから離れた位置に座席部を有する車体と、前記車体の前後方向に伸びるようにして設けられ、前記車体を前記ハンドルに対して相対的に回動自在に軸支する支軸とを有することを特徴とするオートバイゲーム機の操作装置。
【請求項２】
前記支軸は、前記車体の前記座席部よりも前方における床面から離れた上方位置に設けられていることを特徴とする請求項１に記載のオートバイゲーム機の操作装置。
【請求項３】
前記支軸は、前記ハンドル側が高くなるように傾斜して配置されていることを特徴とする請求項１または請求項２に記載のオートバイゲーム機の操作装置。
【請求項４】
ディスプレイの画面の前方にオートバイを模した操作装置が配置されるオートバイゲーム機の操作装置であって、前記ディスプレイの前記画面の前方に配置され、前記画面の水平方向において移動自在な移動フレームと、前記移動フレームに固定されたハンドルと、前記ハンドルを挟んで前記ディスプレイと反対側に配置され、前記ハンドルから離れた位置に座席部を有する車体と、前記車体の前後方向に伸びるようにして設けられ、かつ前記移動フレームに支持されて、前記車体を前記ハンドルに対して相対的に回動自在に軸支する支軸と、前記車体の前記座席部下方に設けられ、前記支軸と平行で、かつ前記支軸の中心軸よりも前記座席部に近い中心軸を有し、前記水平方向における移動が規制される移動軸とを有することを特徴とするオートバイゲーム機の操作装置。
【請求項５】
前記支軸は、前記車体の前記座席部よりも前方における床面から離れた上方位置に設けられていることを特徴とする請求項４に記載のオートバイゲーム機の操作装置。
【請求項６】
前記支軸は、前記ハンドル側が高くなるように傾斜して配置されていることを特徴とする請求項４または請求項５に記載のオートバイゲーム機の操作装置。
【請求項７】
前記移動フレームを前記水平方向に移動させる駆動手段が設けられていることを特徴とする請求項４から請求項６までのいずれか一つに記載のオートバイゲーム機の操作装置。
【請求項８】
前記ディスプレイの前記画面の前方に配置され、前記画面に対して相対的に固定された固定フレームと、前記固定フレームに、前記水平方向に伸びるようにして設けられたガイドレールと、前記移動フレームに設けられ、前記ガイドレールに沿ってスライドするスライダとを備え、前記駆動手段が、前記ガイドレールに沿って設けられたラックと、前記移動フレームに設けられた電動モータと、前記移動フレームに設けられ、前記電動モータによって駆動されかつ前記ラックに噛み合うピニオンとを備えていることを特徴とする請求項７に記載のオートバイゲーム機の操作装置。
【請求項９】
前記車体を垂直起立位置に回動付勢する付勢手段を備えることを特徴とする請求項１から請求項８までのいずれか一つに記載のオートバイゲーム機の操作装置。
【請求項１０】
前記支軸を中心として前記車体を回動させる回動駆動手段が設けられていることを特徴とする請求項１から請求項９までのいずれか一つに記載のオートバイゲーム機の操作装置。
【発明の詳細な説明】
【技術分野】
【０００１】
本発明は、コンピュータにより制御された映像をディスプレイ上に投影して行うゲーム機の操作装置に関するものである。より具体的には、本発明は、ディスプレイの前方にオートバイを模した形状の操作装置を配置し、操作者がこの操作装置に跨ってオートバイ乗用時と同様な姿勢で操作を行うことにより、ディスプレイ上に投影される画像を変化させるようにしたオートバイゲーム機の操作装置に関する。
【背景技術】
【０００２】
従来から、コンピュータ映像を利用したゲーム機の一つとして、オートバイゲームが知られている。このオートバイゲームは、ディスプレイ上に投影されるオートバイのレースシーンを、ディスプレイ前方に設けられた操作装置によって制御することにより、得点を競うものである。このオートバイゲーム機の操作装置には単なるレバーやボタンなどの入力装置を使用したものもあるが、特に、実物のオートバイを模した形状のものは、臨場感にあふれていることから人気が高い。
【０００３】
このようなオートバイ型の操作装置として、特開平１−２１４３８５号公報や特開平４−２２３８３号公報に記載のものが知られている。このような従来技術の操作装置は、床面に設置されたベースにオートバイの型の車体を左右に傾斜可能に支持し、この車体にハンドルを一体に設けたものである。この従来の操作装置では、ハンドルの両端に設けられたスロットルレバーやブレーキを操作することにより、ディスプレイ上に投影されるオートバイの前景の移動速度を制御し、車体全体を左右に傾けることにより、ディスプレイ上におけるオートバイの進行方向を制御するようになっている。
【発明の開示】
【発明が解決しようとする課題】
【０００４】
ところが、以上のような従来技術においては、左右に傾斜する車体にハンドルを一体に設けているため、操作者が車体に跨った場合に、床面やベースから足を離し、車体に設けられたステップに足を乗せて操作することが不可能である。すなわち、車体にハンドルを一体に設けた操作装置を操作する際に、操作者が床面やベースから足を離してステップに足を乗せた場合、操作者は、車体に全体重を預ける形となる。そして、このように操作者が車体に全体重を預けた状態では、一旦車体を傾斜させると、車体を引き起こして元の垂直な状態に復帰させることは困難である。そのため、このような操作装置を操作する際、操作者は、両足を床面やベースにつけたままにしておき、車体を傾けた場合には、足の力を利用して車体を垂直な状態に引き起こすことになる。
【０００５】
しかし、実際にオートバイに乗車する場合には、オートバイの車体に設けられたステップに足を乗せ、地面から足を離した状態で運転する。したがって、以上のような従来の操作装置において、足を床面やベースに付けた状態で操作を行うことは、現実のオートバイの運転感覚とはかけ離れたものであり、ゲームの臨場感を損ねるものである。
【０００６】
また、従来の操作装置は、車体を左右に傾斜するに当たり、床面近くの低い位置に床面と平行に支軸を設け、この支軸によって車体の下部を回動自在に支持している。そのため、車体を傾斜した際に、操作者の頭部は支軸を中心として大きく左右に回動し、車体前方に配置されているディスプレイの中心から大きく外れてしまい、ディスプレイ上の画像が見難くなる欠点がある。
【０００７】
しかも、現実にオートバイがコースの曲線部分を走行する場合、車体を単に左右に傾けるのではなく、車体と前輪とをコースの方向に合わせて曲げる操作も必要である。そのため、従来の操作装置において、単に車体を左右に傾けるだけの操作を行うことは、現実のオートバイの運転時の車体姿勢に比べてかなり不自然で違和感があり、このことも、ゲームの臨場感を損ねている。
【０００８】
さらに、現実のオートバイを運転した場合は、アクセルとブレーキの操作によるオートバイの速度や加速度に応じて、コースの曲線部分を通過する車体に加わる遠心力などが異なってくるため、車体を傾斜させるのに必要な力も異なってくる。しかし、従来の操作装置においては、このような、操作に応じた車体からのリアクションを得ることができず、車体を傾斜させるのに必要な力も一定であるため、この点でも、現実のオートバイの運転感覚とはかけ離れたものであり、ゲームの臨場感を損ねている。
【０００９】
本発明の目的は、前記のような従来技術の問題点を解決して、より現実のオートバイの運転感覚に近い、臨場感にあふれた操作を行うことのでき、しかも、小型・簡略なオートバイゲーム機の操作装置を提供することである。より具体的には、本発明の目的は、次のような４つの特徴（１）〜（４）の少なくとも一つを有するオートバイゲーム機の操作装置を提供することである。
【００１０】
（１）ステップに足をのせた状態での操作性の確保：操作者が車体のステップに足を乗せた状態で車体を左右に傾斜させて操作を行うことができる。
【００１１】
（２）ディスプレイに対する操作者の頭部位置の維持：左右に車体を傾けた場合でも、操作者の頭部の移動を小さく抑えることができる。
【００１２】
（３）現実に近い車体姿勢の確保：現実のオートバイを運転している車体姿勢に近く、違和感の少ない操作を行うことができる。
【００１３】
（４）現実に近いリアクションの確保：ディスプレイ上に表示されたコースの状況あるいはアクセルやブレーキの操作に応じて、車体からのより現実に近いリアクションを得ることができる。
【課題を解決するための手段】
【００１４】
請求項１に記載の発明は、ディスプレイの画面の前方にオートバイを模した操作装置が配置されるオートバイゲーム機の操作装置であって、次のようなハンドル、車体、および支軸を有することを特徴とする。この場合、ハンドルは、前記ディスプレイの前記画面の前方に配置され、前記ディスプレイに対して相対的に固定される。そして、車体は、前記ハンドルを挟んで前記ディスプレイと反対側に配置され、前記ハンドルから離れた位置に座席部を有する。また、支軸は、前記車体の前後方向に伸びるようにして設けられ、前記車体を前記ハンドルに対して相対的に回動自在に軸支する。
【００１５】
このような構成を有する請求項１の発明では、ハンドルがディスプレイに対して相対的に固定されており、車体のみがハンドルに対して相対的に回動する。その結果、操作者は、このハンドルをつかむことで体勢の支持をフレームに依存することができるため、床面やベースから足を離してステップに足を乗せ、車体にほとんど全体重を預けても、ハンドルを頼りに車体を引き起こすことが容易にできる。そして、車体が左右方向に傾斜した場合に、操作者は、ハンドルをつかんで体勢を支持することにより、ステップに足を乗せた状態のまま、車体を垂直起立位置に引き起こすことができる。したがって、操作者が床面から足を離した状態で車体を傾斜させても、車体を垂直起立位置に復帰させることが可能となり、現実のオートバイの運転時に近い操作感覚を得ることができる。
【００１６】
請求項２に記載の発明は、前記請求項１の発明において、前記支軸が、前記車体の前記座席部よりも前方における床面から離れた上方位置に設けられていることを特徴とする。このような構成を有する請求項２の発明では、支軸を床面やベースの高さに配置した場合に比べて、支軸が床面から離れた高い位置にある分だけ、車体を傾斜させた場合における傾斜角度に対する車体の左右方向および上下方向への移動量が少なくなる。その結果、車体を左右方向に傾斜させた場合に、操作者の頭部の左右方向および上下方向への移動量が抑制され、操作者はディスプレイの画面を見易くなる。
【００１７】
請求項３に記載の発明は、前記請求項１または請求項２の発明において、前記支軸が、前記ハンドル側が高くなるように傾斜して配置されていることを特徴とする。このような構成を有する請求項３の発明では、ハンドルと車体とが分離して設けられており、しかも車体の回動中心の支軸が傾斜しているため、車体を傾斜させた場合には、現実のオートバイがカーブを曲がる際におけるハンドルと車体の屈曲角度、あるいは路面に対する車体の傾斜に近い感覚を得ることができる。すなわち、車体の回動中心の支軸が傾斜しているため、水平方向の力（トルク）によって車体を立て直すことが可能であり、この点で現実のバイクの操縦感覚により近付く。例えば、車体を右に傾斜させた場合には、右腕が大きく曲ると同時に左腕が前方に伸び、この状態から車体を立て直す場合には、右腕を前方に伸ばす感覚で右側ハンドルグリップを押すと同時に、左腕で左側ハンドルグリップを引き寄せる動作を行うことにより、車体を立て直すことが可能である。このようなハンドルグリップの押し出し・引き寄せ動作は、現実のオートバイの操作感覚に非常に近似している。
【００１８】
また、この請求項３の発明では、ほぼ水平状態で配置された車体の傾斜した支軸との間の回動半径が、ハンドルに近い側に向かって小さくなる。そのため、車体がこのように傾斜した支軸を中心として左右方向に回動する場合に、ハンドルに近い部分の左右方向および上下方向への移動量は、ハンドルから離れた位置にある座席部に比較して小さくなる。また、操作者は、車体に乗車した状態において、車体の座席部からハンドル側に向かって上体を傾けた姿勢となるが、このような乗車姿勢において、操作者の頭部はハンドルに近い部分に位置することになる。その結果、車体を左右方向に傾斜させた場合に、ハンドルに近い部分に位置する操作者の頭部の左右方向および上下方向への移動量も少なくなり、操作者はディスプレイの画面をより見易くなる。
【００１９】
請求項４に記載の発明は、ディスプレイの画面の前方にオートバイを模した操作装置が配置されるオートバイゲーム機の操作装置であって、次のような移動フレーム、ハンドル、車体、支軸、および移動軸を有することを特徴とする。この場合、移動フレームは、前記ディスプレイの前記画面の前方に配置され、前記画面の水平方向において移動自在に構成される。そして、ハンドルは、前記移動フレームに固定される。また、車体は、前記ハンドルを挟んで前記ディスプレイと反対側に配置され、前記ハンドルから離れた位置に座席部を有する。さらに、支軸は、前記車体の前後方向に伸びるようにして設けられ、かつ前記移動フレームに支持されて、前記車体を前記ハンドルに対して相対的に回動自在に軸支する。そしてまた、移動軸は、前記車体の前記座席部下方に設けられ、前記支軸と平行で、かつ前記支軸の中心軸よりも前記座席部に近い中心軸を有し、前記水平方向における移動が規制されるように構成される。
【００２０】
このような構成を有する請求項４の発明では、ハンドルが移動フレームに対して固定されており、車体のみが移動フレームおよびハンドルに対して相対的に回動する。その結果、操作者は、このハンドルをつかむことで体勢の支持をフレームに依存することができるため、床面やベースから足を離してステップに足を乗せ、車体にほとんど全体重を預けても、ハンドルを頼りに車体を引き起こすことが容易にできる。そして、車体が左右方向に傾斜した場合に、操作者は、ハンドルをつかんで体勢を支持することにより、ステップに足を乗せた状態のまま、車体を垂直起立位置に引き起こすことができる。したがって、操作者が床面から足を離した状態で車体を傾斜させても、車体を垂直起立位置に復帰させることが可能となり、現実のオートバイの運転時に近い操作感覚を得ることができる。
【００２１】
特に、この請求項４の発明では、車体に体重を掛けて支軸を中心として左右方向の片側に傾斜させた場合に、車体に加わる荷重が、支軸を介して移動フレームを傾斜側と反対側に移動させるように作用する。すなわち、車体の左右方向の傾斜に対応してこの車体を左右方向にスライドさせることができる。その結果、単に車体を傾斜させるだけでなく、現実のオートバイの運転時に生じる横方向のズレの感覚を、操作時に得ることができる。また、車体の傾斜方向と反対側に移動フレームを移動させることができるため、操作者が上体を大きく傾斜させた場合でも、実際の横方向の移動範囲を小さくすることができ、操作者はディスプレイの画面を見易くなる。
【００２２】
請求項５に記載の発明は、前記請求項４の発明において、前記支軸が、前記車体の前記座席部よりも前方における床面から離れた上方位置に設けられていることを特徴とする。このような構成を有する請求項５の発明では、支軸を床面やベースの高さに配置した場合に比べて、支軸が床面から離れた高い位置にある分だけ、車体を傾斜させた場合における傾斜角度に対する車体の左右方向および上下方向への移動量が少なくなる。その結果、車体を左右方向に傾斜させた場合に、操作者の頭部の左右方向および上下方向への移動量が抑制され、操作者はディスプレイの画面を見易くなる。
【００２３】
請求項６に記載の発明は、前記請求項４または請求項５の発明において、前記支軸が、前記ハンドル側が高くなるように傾斜して配置されていることを特徴とする。このような構成を有する請求項６の発明では、ハンドルと車体とが分離して設けられており、しかも車体の回動中心の支軸が傾斜しているため、車体を傾斜させた場合には、現実のオートバイがカーブを曲がる際におけるハンドルと車体の屈曲角度、あるいは路面に対する車体の傾斜に近い感覚を得ることができる。すなわち、車体の回動中心の支軸が傾斜しているため、水平方向の力（トルク）によって車体を立て直すことが可能であり、この点で現実のバイクの操縦感覚により近付く。例えば、車体を右に傾斜させた場合には、右腕が大きく曲ると同時に左腕が前方に伸び、この状態から車体を立て直す場合には、右腕を前方に伸ばす感覚で右側ハンドルグリップを押すと同時に、左腕で左側ハンドルグリップを引き寄せる動作を行うことにより、車体を立て直すことが可能である。このようなハンドルグリップの押し出し・引き寄せ動作は、現実のオートバイの操作感覚に非常に近似している。
【００２４】
また、この請求項６の発明では、ほぼ水平状態で配置された車体の傾斜した支軸との間の回動半径が、ハンドルに近い側に向かって小さくなる。そのため、車体がこのように傾斜した支軸を中心として左右方向に回動する場合に、ハンドルに近い部分の左右方向および上下方向への移動量は、ハンドルから離れた位置にある座席部に比較して小さくなる。また、操作者は、車体に乗車した状態において、車体の座席部からハンドル側に向かって上体を傾けた姿勢となるが、このような乗車姿勢において、操作者の頭部はハンドルに近い部分に位置することになる。その結果、車体を左右方向に傾斜させた場合に、ハンドルに近い部分に位置する操作者の頭部の左右方向および上下方向への移動量も少な
請求項７に記載の発明は、請求項４から請求項６までのいずれか一つに記載の発明において、前記移動フレームを前記水平方向に移動させる駆動手段が設けられていることを特徴とする。このような構成を有する請求項７の発明では、駆動手段の駆動力により移動フレームを水平方向に移動させることが可能となる。その結果、駆動手段の駆動力を移動フレームを介して車体に伝達することができる。例えば、この駆動手段をディスプレイ上に画像を投影するコンピュータによって制御することにより、画像の内容に対応した振動、衝撃、荷重、旋回走行中に車体に作用する遠心力などのリアクションを車体に発生させることができる。ここで、駆動手段としては、油圧あるいは空気圧のシリンダを固定側と移動フレームとの間に直接連結するものや、これらのシリンダや電動モータによって駆動されるリンク機構などが使用できる。
【００２５】
請求項８に記載の発明は、前記請求項７の発明において、さらに、固定フレームと、ガイドレール、およびスライダとを備え、前記駆動手段が、次のように構成されることを特徴とする。すなわち、固定フレームは、前記ディスプレイの前記画面の前方に配置され、前記画面に対して相対的に固定される。また、ガイドレールは、前記固定フレームに、前記水平方向に伸びるようにして設けられる。スライダは、前記移動フレームに設けられ、前記ガイドレールに沿ってスライドする。また、駆動手段は、前記ガイドレールに沿って設けられたラックと、前記移動フレームに設けられた電動モータと、前記移動フレームに設けられ、前記電動モータによって駆動されかつ前記ラックに噛み合うピニオンとを備えている。
【００２６】
このような構成を有する請求項８の発明では、電動モータを駆動することにより、ピニオンが回転し、ラックに沿って左右方向に移動するので、電動モータを設けた移動フレームを固定フレームに対して左右方向に移動させることができる。このようなラックとピニオンとの組み合わせにおいては、両者の寸法を適切に設定することにより、小型の電動モータであっても、移動フレーム、車体および操作者すべての荷重を円滑に移動させることができる。
【００２７】
請求項９に記載の発明は、前記請求項１から請求項８までのいずれか一つに記載の発明において、前記車体を垂直起立位置に回動付勢する付勢手段を備えることを特徴とする。この付勢手段としては、コイルスプリングなどの金属製のバネ、ゴムその他の樹脂製の弾性体、油圧あるいは空気圧のダンパーなどが使用できる。
【００２８】
このような構成を有する請求項９の発明では、操作者が車体を左右方向に傾斜させた場合に、車体が、付勢手段によって常に垂直起立位置に復帰するように付勢される。その結果、操作者は、車体を傾斜させた場合に、現実のオートバイの運転時に車体を傾斜させてカーブを曲がる場合に車体から受けるリアクションと同様なリアクションを受けることができる。また、ゲーム終了後、操作者が後者した場合に、車体を垂直起立位置に維持できる。
【００２９】
請求項１０に記載の発明は、前記請求項１から請求項９までのいずれか一つに記載の発明において、前記支軸を中心として前記車体を回動させる回動駆動手段が設けられていることを特徴とする。このような構成を有する請求項１０の発明では、回動駆動手段により、車体に対して所望の回動力を加えることができる。その結果、この回動駆動手段の駆動力を利用して、車体を垂直起立位置に復帰させたり、逆に傾斜させたりすることができる。例えば、この回動用の駆動手段をディスプレイ上に画像を投影するコンピュータによって制御することにより、画像の内容に対応した振動、衝撃、荷重、旋回走行中に車体に作用する遠心力などのリアクションを車体に発生させることができる。ここで回動駆動手段としては、支軸に取り付けた電動モータなどが使用できる。
【発明の効果】
【００３０】
以上の通り、本発明のオートバイゲーム機の操作装置によれば、（１）ステップに足を乗せた状態での操作性を確保できる。また、（２）ディスプレイに対する操作者の頭部位置の維持、（３）現実に近い車体姿勢の確保、（４）現実に近いリアクションの確保という特徴（２）〜（４）のうちの少なくとも一つの特徴が得られる。したがって、本発明のオートバイゲーム機の操作装置によれば、従来技術に比べて、より現実のオートバイの運転感覚に近い、臨場感にあふれた操作を行うことができる上、装置全体の構成を小型・簡略化できる。
【発明を実施するための最良の形態】
【００３１】
以下、本発明のオートバイゲーム機を実施する一形態について、図面を参照して説明する。
（１）構成（１−１）構成の概略…図１、図２、図１は、本発明のオートバイゲーム機の操作装置を実施する一形態を示す側面図、図２は図１の平面図である。この図１と図２に示すように、ディスプレイ１は、図１に示すように垂直配置されており、垂直方向に伸びる画面１ａを備えている。このディスプレイ１は、図２に示すように、その画面１ａが水平方向に伸びるようにして配置されている。
【００３２】
図１に示すように、操作装置は、このディスプレイ１の画面１ａの前方に配置されている。この操作装置は、基本的な構成部材として、固定フレーム２、移動フレーム３、ハンドル４、支軸５、車体６、座席部７、およびステップ８を有する。操作装置はまた、これらの構成部材間の相対動作を規定する機構として、回動機構１０、スライド機構２０、および位置規制機構３０を有する。以下にはまず、これらの要素の構成と配置関係の概略について説明する。
【００３３】
図１に示すように、固定フレーム２は、ディスプレイ１の画面１ａと対向するようにして床面上に水平配置されている。この固定フレーム２は、図２に示すように、ディスプレイ１の画面１ａに向かって左右方向に伸びる前後一対の短辺と、ディスプレイ１の画面１ａに向かって前後方向に伸びる左右一対の長辺とからなる長方形状に構成されている。そして、この固定フレーム２上の左右方向における中央部分には、画面１ａと直交する方向に水平に伸びるようにして、車体６が配置されている。この車体６は、実際のオートバイの車体を模した形状とされている。また、図１に示すように、車体６のディスプレイ１と反対側の後方部分には、操作者が着座する座席部７が設けられ、車体６の座席部７よりも若干前方の下部には、操作者の足を乗せるステップ８が設けられている。
【００３４】
一方、図１に示すように、固定フレーム２上における車体６の前方部分の下方には、前後方向に伸びるようにして、移動フレーム３が配置されている。この移動フレーム３は、図２においては、上方の車体６によって覆われる形となるため、その前端部のみしか示されていないが、車体６と同様に、固定フレーム２上の左右方向における中央部分に、前後方向に伸びるようにして配置されている。すなわち、この移動フレーム３は、図２に示すような初期状態の垂直起立位置にある場合に、その中心軸が車体６の中心軸と垂直方向において重なるようにして配置されている。
【００３５】
より詳細には、この移動フレーム３は、図１に示すように、五角形状に形成されている。すなわち、移動フレーム３は、固定フレーム２上に配置されて前後方向に伸びる下側水平部３ａと、この下側水平部３ａの前端部から垂直に立ち上げられた前方垂直部３ｂと、前方から後方に向かって下方に傾斜する傾斜部３ｃとを主要部分として構成されている。また、移動フレーム３の前方垂直部３ｂの上端部と傾斜部３ｃの前端部との間は、比較的短い上側水平部３ｄによって接続され、下側水平部３ａの後端部と傾斜部３ｃの後端部との間は、比較的短い後方垂直部３ｅによって接続されている。
【００３６】
さらに、図１に示すように、この移動フレーム３の上側水平部３ｄには、上方に突出するようにしてハンドル固定台４ａが固定されており、このハンドル固定台４ａには、図２に示すように、その中央部から左右斜め後方向に伸びるようにしてハンドル４が配置されている。また、移動フレーム３の傾斜部３ｃの上方には、この傾斜部３ｃと平行に支軸５が配置されており、この支軸５は、移動フレーム３に対して車体６を左右方向に回動自在に支持するように構成されている。なお、この支軸５は、移動フレーム３の傾斜部３ｃと同様に後方に向かって下方に傾斜しているが、その後端部は、固定フレーム２から離れた高い位置にあり、したがって、支軸５の全体が、床面より高い固定フレーム２から離れた高い位置に配置されている。そして、この支軸５と移動フレーム３の傾斜部３ｃを含む部分には、支軸５を中心として車体６を初期状態の垂直起立位置と左右方向における両側の傾斜位置との間で回動させる回動機構１０が構成されている。
【００３７】
なお、図１に示すように、この移動フレーム３と固定フレーム２との間には、固定フレーム２に対して移動フレーム３を左右方向にスライドさせるスライド機構２０が設けられている。また、固定フレーム２の後端部と車体６の座席部７下方との間には、固定フレーム２に対する車体６の左右方向における移動を  （１−２）回動機構１０の構成…図３、図４、図３は、回動機構１０を示す側面図であり、図４は、回動機構１０の主要部分を示す平面図（Ａ）と断面図（Ｂ）である。図３に示すように、回動機構１０は、移動フレーム３の傾斜部３ｃに対して支軸５を回動させ、この支軸５に支持された車体６を左右方向に回動させるための機構である。
【００３８】
図３に示すように、移動フレーム３の傾斜部３ｃの両端部には、一対のピローブロック固定フレーム１１が複数のボルト・ナット対１１ａによってそれぞれ固定され、各ピローブロック固定フレーム１１上には、ピローブロック（軸受）１２が複数のボルト・ナット対１２ａによってそれぞれ固定されている。そして、これらの一対のピローブロック１２に支軸５が挿入され、回動自在に支持されている。
【００３９】
一方、支軸５における両端小径部分の、ピローブロック１２よりも中央側の部分には、マウントブロック１３が一体的に接合されている。そして、この一対のマウントブロック１３が、車体６側に固定されたブラケット１４に取り付けられており、これによって、支軸５と車体６とが一体的に固定されている。
【００４０】
また、この支軸５のうち、ピローブロック１２に挿入された両端部については、中央側よりも小径の円形断面とされているが、支軸５の中央の大径部分については、図４の（Ｂ）に示すように、矩形断面とされている。そして、この支軸５の矩形断面を有する中央大径部分の一部には、図４の（Ｂ）に示すように、４本の柱状の弾性材料からなる付勢手段１５が、この支軸５を囲むようにして支軸５と平行に配置されている。この４本の付勢手段１５は、この付勢手段１５全体の外周を囲むようにして配置された固定部材１６に接合されている。この固定部材１６は、複数のボルト・ナット対１６ａによって移動フレーム４の傾斜部３ｃの一部に固定されている。
【００４１】
（１−３）スライド機構２０の構成…図１、図５、図６
図５は、スライド機構２０を示す平面図であり、図６は、図５の側面図である。図１に示すように、このスライド機構２０はまず、固定フレーム２上の前方に左右方向に伸びるようにして配置されたラック付きガイドレール２１と、このラック付きガイドレール２１の後方に、このラック付きガイドレール２１と間隔を空けて平行に配置されたガイドレール２２を有する。ここで、ラック付きガイドレール２１とガイドレール２２は、複数のボルト・ナット対２１ａ，２２ａによって固定フレーム２に固定されている。
【００４２】
一方、図５に示すように、移動フレーム３の下側水平部３ａの両端部には、これらのラック付きガイドレール２１とガイドレール２２に沿ってスライドする各一対のスライダ２３，２４が設けられている。これらのスライダ２３，２４は、図６に示すように、スライダ取付部材２５，２６を介してガイドレール３に取り付けられている。ここで、スライダ２３，２４は、ボルト２３ａ，２４ａによってスライダ取付部材２５，２６の各々にそれぞれ固定されており、スライダ取付部材２５，２６は、移動フレーム３に接合されている。このうち、後方のスライダ取付部材２６については、移動フレーム３の下側水平部３ａと後方垂直部３ｅとの接合部を兼ねており、ボルト・ナット対２６ａが使用されている。
【００４３】
また、図６に示すように、移動フレーム３の下側水平部３ａの上方には、電動モータ２７が設けられており、モータ取付部材２８を介してガイドレール３に一体的に固定されている。この電動モータ２７は、下方に伸びるモータシャフト２７ａとその先端に取り付けられたピニオン２７ｂ、および取付フランジ２７ｃを備えている。ここで、電動モータ２７の取付フランジ２７ｃは、図５に示すように、ボルト・ナット対２８ａによってモータ取付部材２８に固定されており、モータ取付部材２８は、移動フレーム３に接合されている。また、ピニオン２７ｂは、ラック付きガイドレール２１のラックに噛み合い、電動モータ２７の回転に応じて回転することにより、ラック付きガイドレール２１に沿って左右方向に移動するようになっている。すなわち、このようなピニオン２７ｂのラック付きガイドレール２１に対する動作に伴い、電動モータ２７と固定された移動フレーム３が左右方向に移動するようになっている。なお、モータ取付部材２８上には、電動モータ２７と並べてこの電動モータ２７を冷却するためのファンが設けられている。
【００４４】
（１−４）位置規制機構３０の構成…図１、図７、図８
図７は、位置規制機構３０を示す平面図（Ａ）および背面図（Ｂ）であり、図８は、図７の（Ａ）の側面図である。図１に示すように、この位置規制機構３０はまず、固定フレーム２上の後端部に後斜め上方に伸びるようにして固定された位置規制部材３１と、車体６の座席部７下方の下端部に後方に伸びるようにして一体的に固定された延設部材３２を有する。このうち、延設部材３２は、前方の水平部分と、位置規制部材３１と平行に伸びる後方の傾斜部分とから構成されている。そして、この後方の傾斜部分の後端部には、この延設部材３２の傾斜部分および位置規制部材３１と直交する斜め下方に伸びる移動軸３３が取付けられている。
【００４５】
この移動軸３３は、位置規制部材３１の後端部に沿って設けられたガイド部材３４内に挿入され、このガイド部材３４に沿ってスライド自在に構成されている。この場合、図１に示すように、位置規制部材３１、延設部材３２、および移動軸３３と支軸５との間には次のような配置関係がある。すなわち、移動軸３３は支軸５と平行に配置され、位置規制部材３１および延設部材３２の傾斜部分は支軸５と直交する方向に配置されている。
【００４６】
より詳細には、図７の（Ａ）に示すように、延設部材３２は、上方の板状部材３２ａと下方のフレーム状部材３２ｂを接合して構成されており、移動軸３３は、延設部材３２の後方の傾斜部分の左右方向における中央部に配置されている。また、位置規制部材３１の後端部の内部には、図７の（Ｂ）に示すように一対のガイド部材３４が挿入され、ガイド固定用金具３４ａによって位置規制部材３１に固定されている。この一対のガイド部材３４の相互間には、移動軸３３の径にほぼ一致するガイド溝３４ｂが形成され、このガイド溝３４ｂ内に移動軸３３が挿入されるようになっている。さらに、位置規制部材３１におけるガイド部材３４の挿入部分には、移動軸３３を挿入するための窓３１ａが設けられており、この窓３１ａの幅寸法は、移動軸３３の径よりも大きくなっている。
【００４７】
（２）作用および効果以上のような構成を有する本操作装置は、前述したような４つの特徴（１）〜（２）の全てを実現することができるものであり、さらに、（５）装置全体の小型・簡略化が果たされている。
【００４８】
（１）ステップに足を乗せた状態での操作性の確保
本操作装置においては、ハンドル４が移動フレーム３に固定されていることから、車体６のみが、回動機構１０によって支軸５を中心として左右方向に傾斜する。また、操作者は、このハンドル４をつかむことで体勢の支持を移動フレーム３に依存することができるため、床面や固定フレーム２から足を離してステップ８に足を乗せ、車体６にほとんど全体重を預けても、ハンドル４を頼りに車体を引き起こすことが容易にできる。そして、車体６が左右方向に傾斜した場合に、操作者は、ハンドル４をつかんで体勢を支持することにより、ステップ８に足を乗せた状態のまま、車体６を垂直起立位置に引き起こすことができる。したがって、操作者が床面から足を離した状態で車体６を傾斜させても、車体６を垂直起立位置に復帰させることが可能となり、現実のオートバイの運転時に近い操作感覚を得ることができる。
【００４９】
（２）ディスプレイに対する操作者の頭部位置の維持
本操作装置においては、車体６の回動の中心となる支軸５を、床面や固定フレーム２の高さに配置するのではなく、ステップ８よりもさらに高い位置に配置しているため、車体６の回動半径が小さくなっている。その上、この支軸５をハンドル４側の前方から後方に向かって下方に傾斜させているため、ほぼ水平状態で配置された車体６の回動半径は、前方に向かって小さくなっている。
【００５０】
そのため、車体６がこの支軸５を中心として左右方向に回動する場合に、車体６の前方部分の左右方向および上下方向への移動量は、後方の座席部７に比較して小さくなる。また、操作者は、車体６に乗車した状態において、車体６の座席部７からハンドル側である前方に向かって上体を傾けた姿勢となるが、このような乗車姿勢において、操作者の頭部は車体６の前方に位置することになる。その結果、車体６を左右方向に傾斜させた場合に、前方に位置する操作者の頭部の左右方向および上下方向への移動量が抑制され、操作者はディスプレイ１の画面１ａを見易くなる。
【００５１】
さらに、本操作装置においては、ハンドル４および車体６を支持する移動フレーム３自体をスライド機構２０により固定フレーム２に対して左右方向にスライドさせることができる。そのため、車体６に体重を掛けて支軸５を中心として左右方向の片側に傾斜させた場合に、車体６に加わる荷重が、支軸５を介して移動フレーム３を傾斜側と反対側に移動させるように作用する。したがって、操作者が上体を大きく傾斜させた場合でも、実際の横方向の移動を小さくすることができ、操作者はディスプレイ１の画面１ａをより見易くなる。
【００５２】
（３）現実に近い車体姿勢の確保
本操作装置においては、ハンドル４と車体６とが分離して設けられており、しかも車体６の回動中心である支軸５が傾斜しているため、車体６を傾斜させた場合には、現実のオートバイがカーブを曲がる際におけるハンドル４と車体６の屈曲角度、あるいは路面に対する車体６の傾斜に近い感覚を得ることができる。すなわち、車体６の回動中心の支軸が傾斜しているため、水平方向の力（トルク）によって車体６を立て直すことが可能であり、この点で現実のバイクの操縦感覚により近付く。例えば、車体を右に傾斜させた場合には、操作者の右腕が大きく曲ると同時に左腕が前方に伸び、この状態から車体を立て直す場合には、右腕を前方に伸ばす感覚で右側ハンドルグリップを押すと同時に、左腕で左側ハンドルグリップを引き寄せる動作を行うことにより、車体を立て直すことが可能である。このようなハンドルグリップの押し出し・引き寄せ動作は、現実のオートバイの操作感覚に非常に近似している。
【００５３】
また、本操作装置においては、前述したように、車体６に体重を掛けて支軸５を中心として左右方向の片側に傾斜させた場合に、車体６に加わる荷重が、支軸５を介して移動フレーム３を傾斜側と反対側に移動させるように作用する。すなわち、車体６の左右方向の傾斜に対応してこの車体６を左右方向にスライドさせることができる。その結果、単に車体６を傾斜させるだけでなく、現実のオートバイの運転時に生じる横方向のズレの感覚を、操作時に得ることができる。
【００５４】
さらに、本操作装置においては、車体６の座席部７下方が、位置規制機構３０によって左右方向における移動範囲を規制される一方で、車体６の座席部７よりも前方の部分は、スライド機構２０によって移動フレーム３と共に左右方向に移動可能になっている。そのため、操作者が車体６に体重を掛けて支軸５を中心として左右方向の片側に傾斜させた場合には、車体６の座席部７下方に比べて前方の部分が傾斜側と反対側に大きく移動する。
【００５５】
この場合、図９に示すように、車体６の座席部７下方に設けられた移動軸３３が、ガイド部材３４のガイド溝３４ｂによって左右方向への移動を規制されているため、車体６は、座席部よりも前方部分の左右方向への移動に応じて、この移動軸３３を中心として水平方向に回動し、初期状態の方向に対して水平方向における斜め前方向を向く形となる。この場合、車体６は、斜め前方に倒れ込むように傾斜する形となる。このような車体６の傾斜動作は、現実のオートバイがカーブを曲がる際の車体の動作ときわめてよく似ている。
【００５６】
（４）現実に近いリアクションの確保
本操作装置においては、スライド機構２０に電動モータ２７を使用しているため、操作者が車体６の傾斜方向に体重を掛けない場合でも、この電動モータ２７の駆動力により、ピニオン２７ｂが回転し、このピニオン２７ｂはラック付きガイドレール２１のラックに対して左右方向に移動する。そして、このピニオン２７ｂの動作により、このピニオン２７ｂおよび電動モータ２７を一体的に固定した移動フレーム３を固定フレーム２に対して左右方向に移動させることができる。その結果、電動モータ２７の左右方向の駆動力を移動フレーム３を介して車体６に伝達することができる。例えば、この電動モータ２７をディスプレイ１上に画像を投影するコンピュータによって制御することにより、画像の内容に対応した振動、衝撃、荷重、旋回中の車体６を引き起こすように作用する遠心力などのリアクションを車体６に発生させることができる。
【００５７】
また、以上のようなピニオン２７ｂとラックの組み合わせにおいては、両者の寸法を適切に設定することにより、小型の電動モータ２７であっても、移動フレーム３、車体６および操作者すべての荷重を円滑に移動させることができる。
【００５８】
さらに、本操作装置においては、支軸５と移動フレーム３との間に付勢手段１５を設けているため、操作者が車体６を左右方向に傾斜させた場合には、車体６が、付勢手段１５によって常に垂直起立位置に復帰するように付勢される。すなわち、車体６が傾斜した場合には、車体６に固定された支軸５が回動する結果、支軸５の矩形断面の外周と筒状の付勢手段１５の矩形断面の内周とが係合し、付勢手段１５を支軸５と同方向に回動させようとする。しかし、付勢手段１５の外周は固定部材１６を介して移動フレーム３に対して固定されているので、付勢手段１５の回動は阻止され、付勢手段１５の有する変形限度内で支軸５は回動する。この場合、この変形した付勢手段１５には元の状態に復元しようとする力が生じ、この弾性復元力が、支軸５を垂直起立位置に復帰させる付勢力として作用することになる。その結果、操作者は、車体６を傾斜させた場合に、現実のオートバイの運転時に車体を傾斜させてカーブを曲がる場合に車体から受けるリアクションと同様なリアクションを受けることができる。
【００５９】
また、前述したように、車体６の前方部分が、移動軸３３を中心として水平方向に回動し、車体６が初期状態の方向に対して水平方向における斜め前方向を向いた場合には、進行方向における車体６の寸法が短くなるが、このような進行方向における寸法の変位量は、図９に示すような移動軸３３のガイド溝３４ｂに沿った前方下方への移動によって吸収される。したがって、この位置規制機構３０により、車体６の水平方向における回動動作を円滑に行うことができる。
【００６０】
（５）構成の小型・簡略化
本操作装置においては、構成部材間の相対動作を規定する機構として、回動機構１０、スライド機構２０、および位置規制機構３０を設けているが、いずれの機構についても、構成が簡略であり、装置全体の小型・簡略化が果たされている。
【００６１】
例えば、回動機構１０については、図１からも明らかなように、支軸５の周辺に、ピローブロック１２やマウントブロック１３、および付勢手段１５を使用しただけの簡略な構成であり、特に、支軸５を垂直起立位置に復帰させるための付勢手段としては、支軸５の外周に筒状の付勢手段１５を被せているだけであるため、付勢手段の取り付けスペースが少なくて済む。
【００６２】
また、スライド機構２０については、図１からも明らかなように、移動フレーム３の周辺のスペースを利用して、ラック付きガイドレール２１，ガイドレール２２、スライダ２３，２４などを設けただけの簡略な構成である。この場合、スライド用の駆動手段として、電動モータ２７を使用しているが、この電動モータ２７についても、移動フレーム３のフレーム内に形成される空きスペースを利用して配置されているため、装置の大型化につながるものではない。また、この電動モータ２７は、車体６から離れた位置に配置されているため、操作上の障害となることもない。
【００６３】
さらに、位置規制機構３０については、車体６の座席部７下方を支持する構成となる位置規制部材３１および延設部材３２をそのまま利用しているため、極めて簡略な構成である。特に、位置規制機構３０において、位置規制のための専用の構成は、移動軸３３とガイド部材３４のみであり、この点で、装置の小型・簡略化が果たされている。
【００６４】
他の実施の形態本発明は、前述した形態に限定されるものではなく、他にも多種多様の形態を実施することが可能であり、回動機構、スライド機構、位置規制機構などの具体的な構成は自由に変更可能である。例えば、回動機構の支軸や付勢手段の構成は自由に変更可能である。
【００６５】
また、スライド機構の駆動手段の構成は自由に変更可能であり、シリンダや電動モータによって駆動されるリンク機構などのアクチュエータを使用して、その一端を固定フレーム２側に連結し、他端を移動フレーム３に連結するなどの構成が可能である。一方、回動機構に回動力を与えるための回動用の駆動手段を設けることも可能であり、この場合には、操作者が力を加えない場合でも、自由に車体６を復帰させ、あるいは傾斜させることができる。
【００６６】
そして、この回動用の駆動手段を、ディスプレイ上に画像を投影するコンピュータによって制御すれば、画像の内容に対応したリアルなリアクションを車体に発生させることができる。さらに、このような回動用の駆動手段とスライド用の駆動手段との両方を設けて、これらを組み合わせ、同様にコンピュータによって制御すれば、相乗効果によって臨場感を増大できる。また、スライド機構や位置規制機構を設けずに、回動機構のみを設け、移動フレーム３に相当するフレーム部分を固定フレーム２上に固定する構成なども可能であり、その場合には、装置全体の一層の小型・簡略化を実現できる。
【図面の簡単な説明】
【００６７】
【図１】本発明のオートバイゲーム機の操作装置を実施する一形態を示す側面図。
【図２】図１の平面図。
【図３】図１の回動機構を示す側面図。
【図４】図３の回動機構の主要部分を示す平面図（Ａ）と断面図（Ｂ）。
【図５】図１のスライド機構を示す平面図。
【図６】図５の側面図。
【図７】図１の位置規制機構を示す平面図（Ａ）および背面図（Ｂ）。
【図８】図７の（Ａ）の側面図。
【図９】車体が傾斜した場合の図７の位置規制機構の状態を示す平面図。
【符号の説明】
【００６８】
１：ディスプレイ
１ａ：画面
２：固定フレーム
３：移動フレーム
３ａ：下側水平部
３ｂ：前方垂直部
３ｃ：傾斜部
３ｄ：上側水平部
３ｅ：後方垂直部
４：ハンドル
４ａ：ハンドル固定台
５：支軸
６：車体
７：座席部
８：ステップ
１０：回動機構
１１：ピローブロック固定フレーム
１１ａ：ボルト・ナット対
１２：ピローブロック
１２ａ：ボルト・ナット対
１３：マウントブロック
１４：ブラケット
１５：付勢手段
１６：固定部材
１６ａ：ボルト・ナット対
２０：スライド機構
２１：ラック付きガイドレール
２１ａ：ボルト・ナット対
２２：ガイドレール
２２ａ：ボルト・ナット対
２３，２４：スライダ
２３ａ，２４ａ：ボルト
２５，２６：スライダ取付部材
２５ａ，２６ａ：ボルト・ナット対
２７：電動モータ
２７ａ：モータシャフト
２７ｂ：取付フランジ
２８：モータ取付部材
２８ａ：ボルト・ナット対
３０：位置規制機構
３１：位置規制部材
３１ａ：窓
３２：延設部材
３２ａ：板状部材
３２ｂ：フレーム状部材
３３：移動軸
３４：ガイド部材
３４ａ：ガイド固定用金具
３４ｂ：ガイド溝
【図１】
2006272007.tif 000003
【図２】
2006272007.tif 000004
【図３】
2006272007.tif 000005
【図４】
2006272007.tif 000006
【図５】
2006272007.tif 000007
【図６】
2006272007.tif 000008
【図７】
2006272007.tif 000009
【図８】
2006272007.tif 000010
【図９】
2006272007.tif 000011